(57)【要約】【課題】流体と基体との温度差により発生する誤差の影響を低減するフローセンサ。【解決手段】基体２の表面に設けられるダイアフラム３と、該ダイアフラム３上に設けられて流路内を流れる流体を加熱するヒータ４と、該ヒータ４の周囲の前記ダイアフラム３上に設けられて前記流体の温度を検出して温度信号を出力する複数の温度センサと、を有するフローセンサにおいて、前記複数の温度センサの全て若しくは一部がサーモパイルで構成され、該サーモパイルの温接点と冷接点とが、ダイアフラム３上に配置され、かつ、前記ヒータ４に近い側に前記温接点、遠い側に前記冷接点が配置され、なおかつ、前記冷接点の配置位置が基体２の温度からの影響よりも流体の温度からの影響を受ける位置であることを特徴とする。【選択図】図２
2007147429.tif 000002
【特許請求の範囲】
【請求項１】
基体の表面に設けられるダイアフラムと、該ダイアフラム上に設けられて流路内を流れる流体を加熱するヒータと、該ヒータの周囲の前記ダイアフラム上に設けられて前記流体の温度を検出して温度信号を出力する複数の温度センサと、を有するフローセンサにおいて、
前記複数の温度センサの全て若しくは一部がサーモパイルで構成され、該サーモパイルの温接点と冷接点とが、ダイアフラム上に配置され、かつ、前記ヒータに近い側に前記温接点、遠い側に前記冷接点が配置され、なおかつ、前記冷接点の配置位置が基体の温度からの影響よりも流体の温度からの影響を受ける位置であることを特徴とするフローセンサ。
【請求項２】
基体の表面に設けられるダイアフラムと、該ダイアフラム上に設けられて流路内を流れる流体を加熱するヒータと、該ヒータの周囲の前記ダイアフラム上に設けられて前記流体の温度を検出して温度信号を出力する複数の温度センサと、を有するフローセンサにおいて、
前記ダイアフラムと同一の構成部材で前記ダイアフラムとは別体に構成され、前記ダイアフラムに対して周設するように前記基体の表面に設けられる第２ダイアフラムをさらに設けて、
前記複数の温度センサの全て若しくは一部がサーモパイルで構成され、該サーモパイルの温接点が前記ダイアフラム上に配置され、該サーモパイルの冷接点が前記第２ダイアフラム上に配置されていることを特徴とするフローセンサ。
【請求項３】
請求項１又は２に記載のフローセンサを有し、前記フローセンサを用いて流体の流量を計測する流量計測装置であって、
前記サーモパイルで構成された温度センサの全て若しくは一部が、前記ヒータに対する前記流路の上流側に設けられる上流側温度センサと前記ヒータに対する前記流路の下流側に設けられる下流側温度センサとであり、
前記上流側温度センサ及び前記下流側温度センサが出力した各温度信号に基づいて前記流体の流速に応じて変化した温度分布を検出して前記流体の流量を算出するようにしたことを特徴とする流量計測装置。
【請求項４】
請求項１又は２に記載のフローセンサを有し、前記フローセンサを用いて流体の流量を計測する流量計測装置であって、
前記サーモパイルで構成された前記温度センサの全て若しくは一部が、前記ヒータに対する前記流体の流れ方向と略直交方向の前記ダイアフラム上に設けられる横側温度センサであり、
前記横側温度センサが出力した温度信号に基づいて前記略直交方向における温度分布に応じた前記流体の物性状態を示す物性状態情報を検出し、前記流体の流速に応じて変化した流量データを前記物性状態情報に基づいて補正して、前記流体の流量を算出するようにしたことを特徴とする流量計測装置。
【請求項５】
請求項１又は２に記載のフローセンサを有し、前記フローセンサを用いて判別対象流体の種類を判別する流体判別装置において、
サーモパイルで構成された前記温度センサの全て若しくは一部が、前記ヒータに対する前記流体の流れ方向と略直交方向の前記ダイアフラム上に設けられる横側温度センサであり、
前記横側温度センサが出力する横側温度信号に基づいて、前記略直交方向における温度分布に応じた前記流体の物性状態を示す物性状態情報を検出し、該物性状態情報に基づいて前記判別対象流体の種類を判別するようにしたことを特徴とする流体判別装置。
【発明の詳細な説明】
【技術分野】
【０００１】
本発明は、フローセンサ、流量計測装置、及び、流体判別装置に関し、より詳細には、流路内を流れるガス、水等の流体の速度を、流体の流れに応じて変化する流体内での熱伝達の変化として検知するフローセンサ、フローセンサを用いて流体の流速を計測する流量計測装置、及び、フローセンサを用いて流体の種類を判別する流体判別装置に関するものである。
【背景技術】
【０００２】
流量測定対象となるガス、水等の流体の流量を計測する流量計測装置としては、熱型のフローセンサを用いたものが知られている。このフローセンサは、流体の温度よりも高い温度を有するヒータを流体の流れの中に配置し、このヒータによって加熱された流体の温度分布が流速の増加に伴って変化するという原理を利用したものである。
【０００３】
このようなフローセンサとしては、特許文献１に示すものが知られており、この従来の熱型のフローセンサを、図７及び図８の図面を参照して説明する。なお、図７は従来の熱型のフローセンサの構成を示す構成図である、図８は図７に示すフローセンサの断面図である。
【０００４】
図７において、フローセンサ１は、Ｓｉ基板（センサ基体）２、ダイアフラム３、ダイアフラム３上に形成された白金等からなるマイクロヒータ４、マイクロヒータ４の下流側でダイアフラム３上に形成された下流側サーモパイル５、マイクロヒータ４に図示しない電源から駆動電流を供給する電源端子６Ａ，６Ｂ、マイクロヒータ４の上流側でダイアフラム３上に形成された上流側サーモパイル８、上流側サーモパイル８から出力される上流側温度信号を出力する第１出力端子９Ａ，９Ｂ、下流側サーモパイル５から出力される下流側温度信号を出力する第２出力端子７Ａ，７Ｂ、を備える。
【０００５】
また、フローセンサ１は、マイクロヒータ４に対して流体の流れ方向（ＰからＱへの方向）と略直交方向に配置され、流体の物性状態情報を検出し、右側温度検出信号（第３温度検出信号に対応）を出力する右側サーモパイル１１、この右側サーモパイル１１から出力される右側温度検出信号を出力する第３出力端子１２Ａ，１２Ｂ、マイクロヒータ４に対して流体の流れ方向と略直交方向に配置され、流体の物性状態情報を検出し、左側温度検出信号（第３温度検出信号に対応）を出力する左側サーモパイル１３、この左側サーモパイル１３から出力される左側温度検出信号を出力する第４出力端子１４Ａ，１４Ｂ、周囲温度を得るための抵抗１５，１６、この抵抗１５，１６からの周囲温度信号を出力する出力端子１７Ａ，１７Ｂを備える。右側サーモパイル１１及び左側サーモパイル１３は、温度センサを構成する。
【０００６】
上流側サーモパイル８、下流側サーモパイル５、右側サーモパイル１１及び左側サーモパイル１３は、熱電対から構成されている。この熱電対は、ｐ++−Ｓｉ及びＡｌにより構成され、冷接点５ｂ，８ｂと温接点５ａ，８ａとを有し、熱を検出し、冷接点５ｂ，８ｂと温接点５ａ，８ａとの温度差から熱起電力が発生することにより、温度検出信号を出力するようになっている。
【０００７】
また、図８に示すように、Ｓｉ基板２には、ダイアフラム３が形成されており、このダイアフラム３には、マイクロヒータ４と、上流側サーモパイル８、下流側サーモパイル５、右側サーモパイル１１及び左側サーモパイル１３のそれぞれの温接点とが形成されている。
【０００８】
このように構成されたフローセンサ１によれば、マイクロヒータ４が、外部からの駆動電流により加熱を開始すると、マイクロヒータ４から発生した熱は、流体を媒体として、下流側サーモパイル５と上流側サーモパイル８のそれぞれの温接点５ａ，８ａに伝達される。それぞれのサーモパイルの冷接点５ｂ，８ｂは、Ｓｉ基体（Ｓｉ基板）上にあるので、基体温度になっており、それぞれの温接点は、ダイアフラム上にあるので、伝達された熱により加熱され、Ｓｉ基体温度より温度が上昇する。そして、それぞれのサーモパイルは、温接点５ａ，８ａと冷接点５ｂ，８ｂの温度差より熱起電カを発生し、温度検出信号を出力する。
【０００９】
流体を媒体として伝達される熱は、流体の熱拡散効果とＰからＱに向かって流れる流体の流速との相乗効果によって、それぞれのサーモパイルに伝達される。すなわち、流速がない場合には、熱拡散によって上流側サーモパイル８と下流側サーモパイル５に均等に伝達され、上流側サーモパイル８からの上流側温度信号と下流側サーモパイル５からの下流側温度信号の差信号は、零になる。
【００１０】
一方、流体に流速が発生すると、流速によって下流側サーモパイル５の温接点５ａに伝達される熱量が多くなり、上流側サーモパイル８の温接点８ａに伝達される熱量は少なくなるため、前記下流側温度信号と前記上流側温度信号との差信号は流速に応じた正値になる。
【００１１】
一方、マイクロヒータ４が外部からの駆動電流により加熱を開始すると、マイクロヒータ４から発生した熱は、流体の流速の影響をほとんど受けずに流体の熱拡散効果のみによって、マイクロヒータ４に対して流体の流れ方向と略直交方向に配置された右側サーモパイル１１に伝達される。また、マイクロヒータ４に対して流体の流れ方向と略直交方向に配置された左側サーモパイル１３にも、同様な熱が伝達される。このため、右側サーモパイル１１の起電力により第３出力端子１２Ａ，１２Ｂから出力される右側温度検出信号、及び／または左側サーモパイル１３の起電力により第４出力端子１４Ａ，１４Ｂから出力される左側温度検出信号は、熱伝導と熱拡散、比熱等によって決定される熱拡散定数等の流体の物性状態に相関のあるデータであり、適当な処理をすることで物性値を得ることもできる。
【００１２】
熱拡散定数等の大小は、上流側サーモパイル８が出力する上流側温度信号と下流側サーモパイル５が出力する下流側温度信号及び上流側温度信号にも影響し、右側及び左側サーモパイル出力の大小と同様に変化する。したがって、原理的には、上流側温度信号や下流側温度信号を、あるいは、これらの差を、右側及び／又は左側サーモパイル出力によって除することで、熱拡散定数等の異なる流体であっても、即ち、いかなる種類の流体であっても、正確な流量を算出することができることになる。
【００１３】
よって、図示しない流量計測装置は、第３出力端子１２Ａ，１２Ｂから出力される右側温度検出信号、及び／または第４出力端子１４Ａ，１４Ｂから出力される左側温度検出信号に基づき、熱伝導と熱拡散、比熱等によって決定される熱拡散定数等の流体の物性状態情報を算出し、上流側サーモパイル８からの上流側温度信号と下流側サーモパイル５からの下流側温度信号との差信号をその物性状態情報で補正することで、高精度の計測を実現するようにしてきた。
【特許文献１】特開２００１−１２９８８号公報
【発明の開示】
【発明が解決しようとする課題】
【００１４】
しかしながら、上述したフローセンサ１では、流体の物性状態情報で補正しているにも係わらず、測定精度の再現性が悪いという問題が生じていた。特に大流量の計測、つまり、流速が速い場合に再現性が悪く、流量計測範囲の限界の一要因となっていた。
【００１５】
そこで、この問題を鋭意調査したところ、マイクロヒータ４に電流が流れない状態、つまり、フローセンサ１が駆動されていない状態でも、その出力が変化していたことが判明した。以下にその詳細を説明する。
【００１６】
図９は従来の温度差によるサーモパイルの出力を示す模式図であり、図１０は従来のフローセンサで計測された流体温度とセンサ基体温度との温度差とセンサ出力器差（測定誤差）との関係を示したグラフである。そして、測定は、流体（ガス）の標準状態における１００Ｌ／ｍｉｎで計測されている。
【００１７】
なお、図１０中の縦軸が示す器差は、その単位が％ＲＤ（％ of Reading：読値に対する百分率）となっている。そして、この％ＲＤは、例えば、最大流量が１００Ｌ／ｍｉｎのメータにおいて、１０Ｌ／ｍｉｎの流量を計測した場合に、メータ出力が９Ｌ／ｍｉｎであると、その器差を−１０％ＲＤで示す。そして、このときの公差は−１％ＦＳ（％ of  Full Scale：計器の最大計測値に対する百分率）で示すことができる。
【００１８】
図９に示すように、前述の温度差がないときは、ヒータに電力印加がない場合、温度センサ出力は出力Ｖ０になり、ヒータに電力が印加されたときは出力Ｖ２になるとする。この状態のフローセンサ１でガス温度が筐体温度より上昇すると、その分出力Ｖ０も出力Ｖ２も温度上昇により、それぞれ出力Ｖ１と出力Ｖ３になる。ところが、フローセンサ１は常に電力が印加されているため、出力Ｖ０や出力Ｖ１を計測することはできず、本来、出力Ｖ２である出力が出力Ｖ３に変化してしまう。
【００１９】
実際に図７に示すフローセンサ１の出力を計測して誤差を評価した結果が図１０である。その器差は、―３０度の温度差で約＋２０％ＲＤ、＋３０度の温度差で約−２０％ＲＤであることが判明した。
【００２０】
図７のフローセンサ１において、ヒータに一定の電力が印加されている場合、上流側サーモパイル８と下流側サーモパイル５の出力では、ガスとセンサ基体との温度差に起因する出力分はほぼ同等であることから、その差出力を計測する場合は、出力の変化（Ｖ０→Ｖ１）が自動的にほとんどキャンセルされる。しかしながら、右側及び左側サーモパイル出力は差出力を取らないためキャンセルできない。上流側サーモパイルと下流側サーモパイルとの差出力を右側及び／又は左側サーモパイル出力により補正されなければ精度の良い計測はできないため、フローセンサ１の出力精度が悪くなる。すなわち、ガスとセンサ基体との温度差に比例してフローセンサ１の出力が変化することを究明することができた。
【００２１】
よって本発明は、上述した問題点に鑑み、流体と基体との温度差により発生する誤差の影響を低減するフローセンサ及び該フローセンサを有する流量計測装置を提供することを課題としている。
【課題を解決するための手段】
【００２２】
上記課題を解決するため本発明によりなされた請求項１記載のフローセンサは、基体の表面に設けられるダイアフラムと、該ダイアフラム上に設けられて流路内を流れる流体を加熱するヒータと、該ヒータの周囲の前記ダイアフラム上に設けられて前記流体の温度を検出して温度信号を出力する複数の温度センサと、を有するフローセンサにおいて、前記複数の温度センサの全て若しくは一部がサーモパイルで構成され、該サーモパイルの温接点と冷接点とが、ダイアフラム上に配置され、かつ、前記ヒータに近い側に前記温接点、遠い側に前記冷接点が配置され、なおかつ、前記冷接点の配置位置が基体の温度からの影響よりも流体の温度からの影響を受ける位置であることを特徴とする。
【００２３】
上記請求項１に記載した本発明によれば、各サーモパイルの冷接点が設けられたダイアフラム上の各箇所は、基体との熱伝達率に比べて、流体との熱伝達率の方が大きいため、基体の温度よりも流体の温度の方に近くなる。そのため、各サーモパイルが検出する温接点と冷接点との温度差は、周囲、流体等の温度変化等の影響が低減される。
【００２４】
上記課題を解決するため本発明によりなされた請求項２記載のフローセンサは、基体の表面に設けられるダイアフラムと、該ダイアフラム上に設けられて流路内を流れる流体を加熱するヒータと、該ヒータの周囲の前記ダイアフラム上に設けられて前記流体の温度を検出して温度信号を出力する複数の温度センサと、を有するフローセンサにおいて、前記ダイアフラムと同一の構成部材で前記ダイアフラムとは別体に構成され、前記ダイアフラムに対して周設するように前記基体の表面に設けられる第２ダイアフラムをさらに設けて、前記複数の温度センサの全て若しくは一部がサーモパイルで構成され、該サーモパイルの温接点が前記ダイアフラム上に配置され、該サーモパイルの冷接点が前記第２ダイアフラム上に配置されていることを特徴とする。
【００２５】
上記請求項２に記載した本発明によれば、第２ダイアフラムはダイアフラムと同様に基体と断熱しており、ヒータが発生した熱のうち、各サーモパイルの温接点が設けられたダイアフラムに伝わる熱は、第２ダイアフラムに伝わる前に基体から周囲に逃げるため、第２ダイアフラムへは伝わらない。そのため、各サーモパイルが検出する温接点と冷接点との温度差は、周囲、流体等の温度変化等の影響が低減される。
【００２６】
上記課題を解決するため本発明によりなされた請求項３記載の流量計測装置は、請求項１又は２に記載のフローセンサを有し、前記フローセンサを用いて流体の流量を計測する流量計測装置であって、前記サーモパイルで構成された温度センサの全て若しくは一部が、前記ヒータに対する前記流路の上流側に設けられる上流側温度センサと前記ヒータに対する前記流路の下流側に設けられる下流側温度センサとであり、前記上流側温度センサ及び前記下流側温度センサが出力した各温度信号に基づいて前記流体の流速に応じて変化した温度分布を検出して前記流体の流量を算出するようにしたことを特徴とする。
【００２７】
上記請求項３に記載した本発明によれば、フローセンサから上流側及び下流側の各温度信号が取り込まれると、それらの信号に基づいて流体の流速に応じて変化したダイアフラム上の温度分布が検出され、該検出された温度分布に基づいて流体の流量が算出される。
【００２８】
上記課題を解決するため本発明によりなされた請求項４記載の流量計測装置は、請求項１又は２に記載のフローセンサを有し、前記フローセンサを用いて流体の流量を計測する流量計測装置であって、前記サーモパイルで構成された前記温度センサの全て若しくは一部が、前記ヒータに対する前記流体の流れ方向と略直交方向の前記ダイアフラム上に設けられる横側温度センサであり、前記横側温度センサが出力した温度信号に基づいて前記略直交方向における温度分布に応じた前記流体の物性状態を示す物性状態情報を検出し、前記流体の流速に応じて変化した流量データを前記物性状態情報に基づいて補正して、前記流体の流量を算出するようにしたことを特徴とする。
【００２９】
上記請求項４に記載した本発明によれば、フローセンサの出力した横側の温度信号が取り込まれると、その横側温度信号に基づいて流体の物性状態信号が検出される。そして、その物体状態情報に基づいて、流体の流速に応じて変化した流量データが補正され、該流量データに基づいて流体の流量が算出される。
【００３０】
上記課題を解決するためになされた請求項５記載の流体判別装置は、請求項１又は２に記載のフローセンサを有し、前記フローセンサを用いて判別対象流体の種類を判別する流体判別装置において、サーモパイルで構成された前記温度センサの全て若しくは一部が、前記ヒータに対する前記流体の流れ方向と略直交方向の前記ダイアフラム上に設けられる横側温度センサであり、前記横側温度センサが出力する横側温度信号に基づいて、前記略直交方向における温度分布に応じた前記流体の物性状態を示す物性状態情報を検出し、該物性状態情報に基づいて前記判別対象流体の種類を判別するようにしたことを特徴とする。
【００３１】
上記請求項５に記載した本発明によれば、フローセンサの各サーモパイルが出力する周囲、流体等の温度変化等の影響が低減された横側温度信号に基づいて物性状態情報を検出し、該物性状態情報に基づいて流体の判別が行われる。
【発明の効果】
【００３２】
以上説明したように請求項１に記載したフローセンサによれば、ヒータに対する上流側及び下流側の各サーモパイルの温接点と冷接点とをダイアフラム上に配置し、かつ、ヒータに近い側に温接点、遠い側に冷接点を配置し、なおかつ、冷接点の配置位置を基体の温度からの影響よりも流体の温度からの影響を受ける位置に配置し、温接点と冷接点間の温度差を検出するようにしたことから、流体温度と基体温度との間に温度差が生じても、その周囲温度変化の影響を受けることなく、ヒータが発生する温度分布における温度差を正確に検出することができるため、フローセンサ出力精度を良い状態に保つことができる。従って、流体温度と基体温度との温度差により発生する計測誤差の影響の低減に貢献することができる。
【００３３】
請求項２に記載の発明によれば、ヒータに対する上流側及び下流側の各サーモパイルの温接点をダイアフラム上に設け、かつ、冷接点をダイアフラムに対して周設している第２ダイアフラム上に設けて、温接点と冷接点間の温度差を検出するようにしたことから、流体温度と基体温度との間に温度差が生じても、その周囲温度変化の影響を受けることなく、ヒータが発生する温度分布における温度差を正確に検出することができるため、フローセンサ出力精度を良い状態に保つことができる。また、第２ダイアフラムは基体上に設けていることから、基体を大型化することなく、基体上のダイアフラムを大型化することができ、かつ、温接点と冷接点との間隔を十分に確保することができるため、ヒータが発生する温度分布における温度差を正確に検出することができる。従って、流体温度と基体温度との温度差により発生する計測誤差の影響の低減に貢献することができる。
【００３４】
以上説明したように請求項３に記載した流量計測装置によれば、出力精度が良い状態に保たれたフローセンサからの上流側及び下流側の温度信号に基づいて流体の流量を算出するようにしたことから、センサ基体温度と流体温度とに温度差が生じても、算出した流量の精度を良い状態に保つことができる。従って、流体と基体との温度差により発生する計測誤差の影響を低減することができる。
【００３５】
以上説明したように請求項４に記載した流量計測装置によれば、出力精度が良い状態に保たれたフローセンサからの横側温度信号に基づいて流体の物性状態情報を検出し、その物体状態情報に基づいて流体の流速に応じて変化した流量データを補正して流体の流量を算出するようにしたことから、センサ基体温度と流体温度とに温度差が生じても、横側温度信号に基づいて正確な略直交方向における温度分布に応じた流体の物性状態を検出することが可能となり、その物性状態に基づいた温度信号の補正ができるため、様々な種類の流体に対する計測精度を向上することができる。
【００３６】
以上説明したように請求項５に記載した流体判別装置によれば、出力精度が良い状態に保たれたフローセンサからの横側温度信号に基づいて流体の物性状態情報を検出して流体の判別を行うようにしたことから、流体温度とフローセンサの基体温度との間に温度差が生じても、その温度差による誤差を解消することができるため、その正確な横側温度信号に基づいて物性状態情報を検出して流体を正確に判別することができる。従って、様々な種類の流体に判別の精度を向上させることができる。
【発明を実施するための最良の形態】
【００３７】
以下、本発明に係るフローセンサと該フローセンサを有する流量計測装置の最良の形態を、図１〜図６の図面を参照して説明する。なお、上述した背景技術のところで説明したものと同一あるいは相当する部分には同一符号を付してその詳細な説明は省略する。
【００３８】
ここで、図１は本発明に係る実施例１のフローセンサの構成を示す構成図であり、図２は図１の下流側部分の拡大断面模式図であり、図３は本発明に係る実施例２のフローセンサの構成を示す構成図であり、図４は図３中の部分Ａの拡大図であり、図５は図３の下流側部分の拡大断面模式図であり、図６はフローセンサと流量計測装置との関係を示す図である。
【００３９】
［実施例１］
図１及び図２において、フローセンサ１は、背景技術で説明したように、フローセンサ１のＳｉ基板（以下、基体という）２の表面に設けられるダイアフラム３と、前記ダイアフラム３上に設けられて流路内を流れる流体を加熱して所定の温度分布を発生するマイクロヒータ（ヒータ）４と、該ヒータ４の周囲の前記ダイアフラム３上に設けられて前記流体の温度を検出して温度信号を出力する複数の温度センサ５０と、を有する。そして、フローセンサ１は、第１出力端子９Ａ，９Ｂと、第２出力端子７Ａ，７Ｂと、を有する。
【００４０】
複数の温度センサ５０は、上流側サーモパイル８、下流側サーモパイル５、右側サーモパイル１１及び左側サーモパイル１３から構成されており、各々のサーモパイルは熱電対から構成されている。この熱電対の各々は、Ｐｔ／ｐ++−Ｓｉ配線とＡｌ配線からなり、交互に冷接点５０ｂと温接点５０ａとを構成した直列配線となっている。そして、熱を検出し、冷接点５０ｂと温接点５０ａとの温度差から熱起電力が発生することにより、温度検出信号を出力するようになっている。
【００４１】
ダイアフラム３は基体２からの熱の影響を受けないように、基体２の表面に設けられており、このダイアフラム３上に、上述した上流側サーモパイル８、下流側サーモパイル５、右側サーモパイル１１及び左側サーモパイル１３の全てが設けられている。
【００４２】
各サーモパイルの温接点５０ａと冷接点５０ｂは全てダイアフラム３上に配置されている。各サーモパイルの各々において、温接点５０ａと冷接点５０ｂの位置関係は、例えば図２に示すように、マイクロヒータ４に近い側に温接点５０ａ、遠い側に冷接点５０ｂが配置されている。なお、本最良の形態においては、マイクロヒータ４に対して温接点５０ａの熱伝達率の方が冷接点５０ｂの熱伝達率よりも大きくなるように配置されている。
【００４３】
また、全ての冷接点５０ｂは、基体２の温度の影響よりも流体の温度の方の影響を受けやすい位置に配置されている。つまり、基体２に対する熱伝達率ｋｓが流体に対する熱伝達率ｋｑよりも小さくなる位置（ｋｓ＜ｋｑ）に配置されている。
【００４４】
従来の図７のフローセンサの場合、その冷接点の配置位置では、基体２に対する熱伝達率は非常に大きく、ｋｓ＞＞ｋｑとなっている。そのため、冷接点の温度はほとんど基体２の温度になっていた。それに対して本発明の冷接点の配置位置では、基体２の温度Ｔｓより流体温度Ｔｑの方に近い温度Ｔｃになる。
Ｔｃ＝（Ｔｑ＊ｋｑ＋Ｔｓ＊ｋｓ）／（ｋｑ＋ｋｓ）
【００４５】
従来のフローセンサでは、２０％ＲＤの器差になっているため、これを５％ＲＤ以下まで修正するには、ｋｑ／ｋｓ≧３である必要がある。より高精度にするためには、３より大きい、上式から換算した比率になるｋｑとｋｓになるような配置に冷接点を配置する必要がある。
【００４６】
上述したように冷接点５０ｂを配置すると、自明の通り、温接点５０ａの配置は自動的に冷接点５０ｂよりも基体２の温度の影響を受けにくい位置に配置されていることになる。
【００４７】
次に、本発明の実施例１に係るフローセンサ１の動作（作用）の一例を、以下に説明する。
【００４８】
フローセンサ１のマイクロヒータ４が駆動されていない状態（非加熱時）において、周囲の温度変化等によって流体の温度の変化が生じると、基体２と流体温度との間に温度差が生じる。そして、各サーモパイルの冷接点５０ｂが設けられたダイアフラム３上の各箇所は、基体２との熱伝達率に比べて、流体との熱伝達率の方が大きいため、基体２の温度よりも流体の温度の方に近くなる。そのため、各サーモパイルが検出する温接点５０ａと冷接点５０ｂとの温度差は極わずかになり、周囲、流体等の温度変化等により基体２と流体との間に発生する温度差の影響が低減される。
【００４９】
もし仮にマイクロヒータ４の周囲に流体以外何もない状態であれば、その周囲の温度分布Ｍは周囲温度（流体温度）を基準温度にして無限遠が０になるガウス分布になることが知られている。その半値幅は流体の熱拡散係数（主に熱伝導率で決まる係数）で決まる。しかしながら実際には、マイクロヒータ４を支えるダイアフラム３、さらにダイアフラム３を支える基体２が必要になり、その温度の影響を少なからず受ける。通常、ダイアフラム３と基体２の接続部が温度分布Ｍの最大温度の１／１０以下になる箇所（できるだけマイクロヒータ４の影響が少なくなった箇所）になるようにダイアフラム３の大きさが設計されている。
【００５０】
ここに、流体と基体２の温度に温度差が生じた場合、マイクロヒータ４に電力が供給される前にもダイアフラム３の温度が変化して温度分布ｍ0が生じる。さらに、ここに外部からの電力供給によりマイクロヒータ４が加熱を開始すると、マイクロヒータ４の周囲で、電力供給前の温度分布ｍ0の上に重なって、温度分布Ｍが発生し、結果、温度分布Ｍ’となる。
【００５１】
図７に示した従来のフローセンサの場合、冷接点は基体２上にあるので、マイクロヒータ４の加熱による温度分布Ｍ以外の温度分布ｍ0の影響により各サーモパイルの出力が変化する。これに対して実施例１の構成の場合、基体２との熱伝達率より基体との熱伝達率が大きい位置に冷接点が配置されているので、各サーモパイル出力は温度分布ｍ0の影響が低減される。従って、流体と基体２との温度差により発生する計測誤差の影響の低減に貢献することができる。
【００５２】
なお、流速のあり／なし時におけるフローセンサ１の検知原理については、上述した背景技術と同一であることから、詳細な説明は省略する。そして、この場合についても、上流側サーモパイル８、下流側サーモパイル５、右側サーモパイル１１及び左側サーモパイル１３の各々が出力する各温度検出信号は、基体温度と流体温度との温度差によって生じるオフセット出力が低減していることになる。
【００５３】
以上説明したフローセンサ１によれば、マイクロヒータ４に対する上流側、下流側、左側、及び右側の各サーモパイル（温度センサ）の温接点５０ａと冷接点５０ｂとがダイアフラム３上に配置され、かつ、マイクロヒータ４に近い側に温接点５０ａ、遠い側に冷接点５０ｂが配置され、なおかつ、冷接点５０ｂの配置位置が基体２の温度からの影響よりも流体の温度からの影響を受ける位置に配置され、温接点５０ａと冷接点５０ｂ間の温度差を検出するようにしたことから、流体温度と基体温度との間に温度差が生じても、その周囲温度変化の影響を受けることなく、マイクロヒータ４が発生する温度分布における温度差を正確に検出することができるため、フローセンサ出力精度を良い状態に保つことができる。従って、流体温度と基体温度との温度差により発生する計測誤差の影響の低減に貢献することができる。
【００５４】
［実施例２］
次に、本発明のフローセンサ１に係る実施例２を、図３〜図５の図面を参照して以下に説明する。なお、上述した背景技術及び実施例１のところで説明したものと同一あるいは相当する部分には同一符号を付してその詳細な説明は省略する。
【００５５】
図３〜図５に示すフローセンサ１は、上述した実施例１と同様に、Ｓｉ基板（以下、基体という）２と、ダイアフラム３と、マイクロヒータ４と、上流側サーモパイル８と、下流側サーモパイル５と、右側サーモパイル１１及び左側サーモパイル１３と、電源端子６Ａ，６Ｂと、第１出力端子９Ａ，９Ｂと、第２出力端子７Ａ，７Ｂと、を備える。
【００５６】
上流側サーモパイル８、下流側サーモパイル５、右側サーモパイル１１及び左側サーモパイル１３は、熱電対から構成されている。この熱電対の各々は、上述したように、Ｐｔ／ｐ++−Ｓｉ配線と、Ａｌ配線と、により構成されており、温接点５０ａと冷接点５０ｂとを有し、温接点５０ａと冷接点５０ｂとの温度差から熱起電力が発生することにより、温度検出信号を出力するようになっている。
【００５７】
実施例２において、上述したダイアフラム３は、基体２からの熱の影響を受けないように基体２の表面に設けられる第１ダイアフラム３１と、該第１ダイアフラム３１と同一の構成部材で別体に形成されて第１ダイアフラム３１に対して周設するように前記基体２の表面に設けられる第２ダイアフラム３２と、を有している。
【００５８】
各サーモパイルの温接点は第１ダイアフラム３１上に、冷接点は第２ダイアフラム３２上に設けられている。なお、上述した実施例１と同様に、冷接点の配置は基体２との熱伝達率よりも流体との熱伝達率の方が大きくなる位置に配置される。また、温接点配置は基体２との熱伝達率が冷接点と基体２との熱伝達率と同じになる、若しくは、小さくなるような位置に配置されている。なお、温接点と冷接点の熱容量が同じになるように設計されていればなお良い。
【００５９】
基体２の第１ダイアフラム２１の周囲に略Ｖ字形状の溝が形成されることで第２ダイアフラム３２が形成されている。自明の通り、第２ダイアフラム３２も第１ダイアフラム３１と同様に基体２と断熱するようになっている。
【００６０】
一方で、マイクロヒータ４は第１ダイアフラム３１上にあり、マイクロヒータ４が発生した熱のうち第１ダイアフラム３１を伝わる熱は、第２ダイアフラム３２に伝わる前に基体２から周囲に逃げるため、第２ダイアフラム３２へは伝わらない。
【００６１】
次に、本発明の実施例２に係るフローセンサ１の動作（作用）の一例を、以下に説明する。
【００６２】
フローセンサ１のマイクロヒータ４が駆動されていない状態（非加熱時）において、周囲の温度変化等によって流体の温度に変化が生じると、基体２と流体温度と間に温度差が生じる。そして、各サーモパイルの温接点５０ａ、及び、冷接点５０ｂの各箇所は、基体２に対する熱伝達率より流体に対する熱伝達率の方が従来より大きい値であることから、上記温度差が生じても、温接点と冷接点とが検出する温度に差は生じなくなる。即ち、周囲、流体等の温度変化による基体２と流体との間に生じる温度差の影響が低減される。
【００６３】
もし仮にマイクロヒータ４の周囲に流体以外何も無い状態であれば、その周囲の温度分布Ｍは周囲温度（流体温度）を基準温度にして無限遠が０になるガウス分布になることが知られている。その半値幅は流体の熱拡散係数（主に熱伝導率で決まる係数）で決まる。しかしながら実際には、マイクロヒータ４を支えるダイアフラム３、さらにダイアフラム３を支える基体２が必要になり、その温度の影響を少なからず受ける。通常、ダイアフラム３と基体２の接続部が温度分布Ｍの最大温度の１／１０以下になる箇所（できるだけマイクロヒータ４の影響が少なくなった箇所）になるようにダイアフラム３の大きさが設計されている。
【００６４】
ここに、流体と基体２の温度に温度差が生じた場合、マイクロヒータ４に電力が供給される前にもダイアフラム３の温度が変化して温度分布ｍ0が生じる。さらに、ここに外部からの電力供給によりマイクロヒータ４が加熱を開始すると、マイクロヒータ４の周囲で、電力供給前の温度分布ｍ0の上に重なって、温度分布Ｍが発生し、結果、温度分布Ｍ’となる。
【００６５】
従来のフローセンサの場合、冷接点は基体２上にあるので、マイクロヒータ４の加熱による温度分布Ｍ以外の温度分布ｍ0の影響により各サーモパイルの出力が変化する。これに対して実施例２の構成の場合、新たに設けた第２ダイアフラム３２上に冷接点が配置されており、基体２の温度の影響をほとんど受けないので、各サーモパイル出力は温度分布ｍ0の影響が低減される。従って、流体と基体２との温度差により発生する計測誤差の影響の低減に貢献することができる。
【００６６】
なお、流速のあり／なし時におけるフローセンサ１の検知原理については、上述した背景技術と同一であることから、詳細な説明は省略する。そして、この場合についても、上流側サーモパイル８、下流側サーモパイル５、右側サーモパイル１１及び左側サーモパイル１３の各々が出力する各温度検出信号は、基体温度と流体温度との温度差によって生じるオフセット出力が低減していることになる。
【００６７】
以上説明したフローセンサ１によれば、マイクロヒータ４に対する上流側、下流側、左側、及び右側の各サーモパイル（温度センサ）の温接点５０ａを第１ダイアフラム３１上に設け、かつ、第２ダイアフラム３２上に冷接点を設けて、温接点５０ａと冷接点５０ｂ間の温度差を検出するようにしたことから、流体温度と基体温度との間に温度差が生じても、その影響を受けることなく、マイクロヒータ４が発生する温度分布における温度差を正確に検出することができるため、フローセンサ出力精度を良い状態に保つことができる。従って、流体温度と基体温度との温度差により発生する計測誤差の影響の低減に貢献することができる。
【００６８】
なお、実施例１，２は上流側、下流側、右側、及び、左側の温度センサが４つともサーモパイルで構成され、かつ、その冷接点位置をダイアフラム上に配置した構成について説明したが、上流側及び下流側の温度センサを測温抵抗等の別の温度センサで構成したり、サーモパイルであっても冷接点を基体上に配置する構成であったりしても、十分な精度の流量計測が実現できる。
【００６９】
また、右側と左側の温度センサが存在せず、上流側と下流側の温度センサが実施例１，２に説明したサーモパイルの構成であるフローセンサの場合でも十分な精度の流量計測装置を実現できる。
【００７０】
次に、上述した実施例１，２のフローセンサ１を有する流量計測装置の最良の形態を、以下に説明する。
【００７１】
図６に示す流量計測装置２０は、流路７０に設けられる上述したフローセンサ１を有しており、フローセンサ１の出力端子の各々は、流量計測装置に接続されている。この流量計測装置２０は、図示しないが、上述したフローセンサ１内の下流側サーモパイル５からの下流側温度信号とフローセンサ１内の上流側サーモパイル８からの上流側温度信号との差信号を増幅する差動アンプと、フローセンサ１内の右側サーモパイル１１からの右側温度検出信号を増幅するアンプと、フローセンサ１内の左側サーモパイル１３からの左側温度検出信号を増幅するアンプと、予め定められたプログラムに従って動作するマイクロプロセッサ（ＭＰＵ）と、このＭＰＵによって制御されてマイクロヒータ４を駆動させる駆動部と、を有して構成している。
【００７２】
流量計測装置２０は、第３出力端子１２Ａ，１２Ｂから出力される右側温度検出信号、及び／または第４出力端子１４Ａ，１４Ｂから出力される左側温度検出信号に基づき、流体の流れ方向（図６中のＰ→Ｑ方向）に対する略直交方向における温度分布の広がりに応じた流体の物性状態を示す物性状態情報を検出する。そして、この物性状態情報に基づいて上流側サーモパイル８からの上流側温度信号と下流側サーモパイル５からの下流側温度信号との差信号（流量データに相当）を補正し、該補正した差信号に基づいて流体の流速に応じて変化した温度分布を検出し、該検出した温度分布に基づいて流体の流量を算出する。
【００７３】
以上説明した流量計測装置２０によれば、出力精度が良い状態に保たれたフローセンサ１からの横側（ヒータに対する流れ方向と略直交方向）の温度信号に基づいて流体の物性状態情報を検出し、その物体状態情報に基づいて上流側及び下流側温度信号を補正して、それらの信号に基づいて流速に応じて変化する温度分布を検出し、該温度分布に基づいて流体の流量を算出するようにしたことから、センサ基体温度と流体温度とに温度差が生じても、横側温度信号に基づいて正確な略直交方向における温度分布に応じた流体の物性状態を検出することが可能となり、その物性状態に基づいた温度信号の補正ができるため、様々な種類の流体に対する計測精度を向上することができる。
【００７４】
なお、上述した本最良の形態では、流量計測装置２０について説明したが、本発明はこれに限定するものではなく、流量計測装置２０をガスメータに組み込んで実現したり、水、薬品などの流体を計測する機器、流体の種類を判別する流体判別装置として実現するなど種々異なる形態とすることができる。
【００７５】
また、上述した流量計測装置２０では、差信号の信号値を流体の物性状態情報による補正の対象である流量データとした場合について説明したが、本発明の流量データは、上流側及び下流側温度信号の信号値としたり、前記差信号に基づいて算出した値など種々異なる形態とすることができる。
【００７６】
次に、上述した実施例１，２のフローセンサ１を有する流体判別装置の最良の形態を、以下に説明する。なお、装置構成については、上述した流量計測装置と同一であることから、流量計測装置のところで説明したものと同一あるいは相当する部分には同一符号を付してその詳細な説明は省略する。
【００７７】
流体判別装置は、上述した図６に示す流量計測装置２０と同様に、流路７０に設けられる上述したフローセンサ１を有しており、フローセンサ１の出力端子の各々は、流量計測装置に接続されている。この流量計測装置２０は、図示しないが、上述したフローセンサ１内の下流側サーモパイル５からの下流側温度信号とフローセンサ１内の上流側サーモパイル８からの上流側温度信号との差信号を増幅する差動アンプと、フローセンサ１内の右側サーモパイル１１からの右側温度検出信号を増幅するアンプと、フローセンサ１内の左側サーモパイル１３からの左側温度検出信号を増幅するアンプと、予め定められたプログラムに従って動作するマイクロプロセッサ（ＭＰＵ）と、このＭＰＵによって制御されてマイクロヒータ４を駆動させる駆動部と、を有して構成している。
【００７８】
流体判別装置は、ＭＰＵによるプログラムの実行によって、横側温度センサ１１，１３が出力する横側温度信号に基づいて、流体の流れ方向（図６中のＰ→Ｑ方向）に対する略直交方向における温度分布の広がりに応じた流体の物性状態を示す物性状態情報を検出し、該物性状態情報に基づいて判別対象流体の種類を判別する。そして、その判別結果を示す判別結果情報が図示しない表示装置、通信装置、音声出力装置等に出力されることで、判別結果を通知する。
【００７９】
以上説明した流体計測装置によれば、出力精度が良い状態に保たれたフローセンサ１からの横側温度信号に基づいて流体の物性状態情報を検出して流体の判別を行うようにしたことから、流体温度とフローセンサ１の基体温度との間に温度差が生じても、その温度差による誤差を解消することができるため、その正確な横側温度信号に基づいて物性状態情報を検出して流体を正確に判別することができる。従って、様々な種類の流体に判別の精度を向上させることができる。
【００８０】
なお、上述した本発明のフローセンサ１は、本発明の代表的な形態を示したに過ぎず、本発明は、実施形態に限定されるものではない。即ち、本発明の骨子を逸脱しない範囲で種々変形して実施することができる。例えば、上流側サーモパイル８と下流サーモパイル５のみの冷接点５０ｂをダイアフラム３上に配置することや、右側サーモパイル１１及ぶ左側サーモパイル１３のみの冷接点５０ｂをダイアフラム３上に配置するなどの構成としても、上述した作用効果を得ることができる。
【図面の簡単な説明】
【００８１】
【図１】本発明に係る実施例１のフローセンサの構成を示す構成図である。
【図２】図１の下流側部分の拡大断面模式図である。
【図３】本発明に係る実施例２のフローセンサの構成を示す構成図である。
【図４】図３中の部分Ａの拡大図である。
【図５】図３の下流側部分の拡大断面模式図である。
【図６】フローセンサと流量計測装置との関係を示す図である。
【図７】従来の熱型のマイクロフローセンサの構成を示す構成図である。
【図８】図７に示すマイクロフローセンサの断面図である。
【図９】従来の温度差によるサーモパイルの出力変化を示すグラフである。
【図１０】従来の温度差と器差との関係を示すグラフである。
【符号の説明】
【００８２】
１    フローセンサ（フローセンサ）
２    基体
３    ダイアフラム
４    ヒータ（マイクロヒータ）
５    下流側温度センサ（上流側サーモパイル）
８    上流側温度センサ（下流側サーモパイル）
１１，１３    横側温度センサ（左側、右側サーモパイル）
２０    流量計測装置
５０    温度センサ
５０ａ    温接点
５０ｂ    冷接点
【図１】
2007147429.tif 000003
【図２】
2007147429.tif 000004
【図３】
2007147429.tif 000005
【図４】
2007147429.tif 000006
【図５】
2007147429.tif 000007
【図６】
2007147429.tif 000008
【図７】
2007147429.tif 000009
【図８】
2007147429.tif 000010
【図９】
2007147429.tif 000011
【図１０】
2007147429.tif 000012